(57)【要約】      （修正有）【課題】撮影画像表示の表示において、観察者に表示された撮影画像が２次元撮影または３次元撮影された撮影画像であるかを容易に認識させる。【解決手段】被写体の撮影画像データＧＤと、この撮影画像データＧＤが被写体を２次元撮影して得られた撮影画像データＧＤであるか、または３次元撮影して得られた撮影画像データＧＤであるかのデータ属性ＤＰを示す付帯データＦＤとを備えた画像ファイルＧＦから、撮影画像データＧＤおよび付帯データＦＤをそれぞれ読み出し、撮影画像データＧＤを用いて被写体の撮影画像Ｇを表示するとともに、付帯データＦＤを用いてデータ属性ＤＰをそれぞれ表示する。【選択図】図４
2012148055.tif 000002
【特許請求の範囲】
【請求項１】
被写体の撮影画像データと、該撮影画像データに付帯する、該撮影画像データが前記被写体を２次元撮影して得られた撮影画像データであるか、または３次元撮影して得られた撮影画像データであるかのデータ属性を示す付帯データとを備えた画像ファイルから、前記撮影画像データおよび前記付帯データを読み出すデータ読出部と、
前記撮影画像データを用いて前記被写体の撮影画像を表示するとともに、前記付帯データを用いて前記データ属性を表示する表示部とを備えたことを特徴とする撮影画像表示装置。
【請求項２】
前記表示部が、前記データ属性を文字情報として表示することを特徴とする請求項１記載の撮影画像表示装置。
【請求項３】
前記表示部が、前記被写体の撮影画像の２次元表示および３次元表示のいずれもが可能であることを特徴とする請求項１または２記載の撮影画像表示装置。
【請求項４】
前記撮影画像が放射線撮影画像であり、前記被写体が乳房であることを特徴とする請求項１〜３のいずれか１項記載の撮影画像表示装置。
【請求項５】
被写体の撮影画像データと、該撮影画像データが前記被写体を２次元撮影して得られた撮影画像データであるか、または３次元撮影して得られた撮影画像データであるかのデータ属性を示す付帯データとを備えた画像ファイルから、前記撮影画像データおよび前記付帯データをそれぞれ読み出し、
前記撮影画像データを用いて前記被写体の撮影画像を表示するとともに、前記付帯データを用いて前記データ属性をそれぞれ表示することを特徴とする撮影画像表示方法。
【発明の詳細な説明】
【技術分野】
【０００１】
本発明は画像ファイルから撮影画像データを読み出して撮影画像を表示する撮影画像表示装置および撮影画像表示方法に関する。より詳しくは、画像ファイルから２次元撮影または３次元撮影された撮影画像データを読み出して撮影画像を表示する撮影画像表示装置および撮影画像表示方法に関する。
【背景技術】
【０００２】
従来、撮影画像データを用いた撮影画像の表示として、画像ファイルが１つの撮影方向から撮影（以下、２次元撮影という。）された撮影画像データのみを備える場合に撮影画像を平面的に表示する２次元表示および画像ファイルが互いに異なる２つの撮影方向から撮影（以下、３次元撮影という。）された２つの撮影画像データを備える場合に撮影画像を立体的に表示する３次元表示が知られている。
【０００３】
このため、撮影画像データを用いて撮影画像を順次表示する場合には、撮影画像が２次元撮影されたものか、３次元撮影されたものかを認識して表示する必要がある。特許文献１には、２次元表示と３次元表示とを手動または自動で切替えできる撮影画像表示装置が提案されている。
【先行技術文献】
【特許文献】
【０００４】
【特許文献１】特開２００３−１８６１９号公報
【発明の概要】
【発明が解決しようとする課題】
【０００５】
しかしながら、２次元撮影または３次元撮影して得られた複数の撮影画像データを用いて撮影画像を混在させて表示させる際に、撮影画像表示装置が２次元表示のみ可能な場合や、２次元表示または３次元表示の切替え可能な撮影画像表示装置において、３次元撮影された撮影画像を撮影方向毎に比較したい場合や、３次元表示の観察に疲労した場合には、３次元撮影された撮影画像であっても、２次元表示に設定することが有り得る。
【０００６】
したがって、２次元表示のみが可能な撮影画像表示装置に撮影画像を表示するうち、表示された撮影画像が３次元撮影された画像であるにも関わらず、観察者がいずれの撮影方向で撮影されたものであるかを意識せずに観察してしまう虞や、２次元表示および３次元表示の切替え可能な撮影画像表示装置に撮影画像を表示するうちに、２次元表示に設定した後、再び３次元表示に切替えることを忘れてしまい、新たな３次元撮影された撮影画像が立体視できること気付かずに観察してしまう虞がある。
【０００７】
本発明の目的は、上記事情に鑑み、表示された撮影画像が２次元撮影または３次元撮影された撮影画像であるかを観察者が容易に認識できる撮影画像表示装置および撮影画像表示方法を提供する。
【課題を解決するための手段】
【０００８】
上記課題を解決するために、本発明による撮影画像表示装置は、被写体の撮影画像データと、この撮影画像データに付帯する、この撮影画像データが被写体を２次元撮影して得られた撮影画像データであるか、または３次元撮影して得られた撮影画像データであるかのデータ属性を示す付帯データとを備えた画像ファイルから、撮影画像データおよび付帯データを読み出すデータ読出部と、撮影画像データを用いて被写体の撮影画像を表示するとともに、付帯データを用いてデータ属性を表示する表示部とを備えたことを特徴とする。
【０００９】
また、本発明による撮影画像表示装置は、表示部が、データ属性を文字情報として表示するものであってもよく、被写体の撮影画像の２次元表示および３次元表示のいずれもが可能なものであってもよい。また、本発明による撮影画像表示装置は、撮影画像が放射線撮影画像であり、被写体が乳房であってもよい。
【００１０】
本発明による撮影画像表示方法は、被写体の撮影画像データと、この撮影画像データが被写体を２次元撮影して得られた撮影画像データであるか、または３次元撮影して得られた撮影画像データであるかのデータ属性を示す付帯データとを備えた画像ファイルから、撮影画像データおよび付帯データをそれぞれ読み出し、撮影画像データを用いて被写体の撮影画像を表示するとともに、付帯データを用いてデータ属性をそれぞれ表示することを特徴とする。
【発明の効果】
【００１１】
本発明の撮影画像表示装置および撮影画像表示装置によれば、被写体の撮影画像データと、この撮影画像データが被写体を２次元撮影して得られた撮影画像データであるか、または３次元撮影して得られた撮影画像データであるかのデータ属性を示す付帯データとを備えた画像ファイルから、撮影画像データおよび付帯データをそれぞれ読み出し、撮影画像データを用いて被写体の撮影画像を表示するとともに、付帯データを用いてデータ属性をそれぞれ表示するため、表示されたデータ属性を確認することにより、観察者は表示された撮影画像が２次元撮影または３次元撮影されたものであるかを容易に認識できる。すなわち観察者は表示中の放射線画像が平面視できれば良いものなのか、立体視されるべきであるのに立体視できていないものなのかを容易に認識できる。
【図面の簡単な説明】
【００１２】
【図１】放射線撮影システムの概略構成図
【図２】放射線撮影装置の概略構成図
【図３】放射線撮影装置の一部正面図
【図４】撮影画像表示装置の概略構成図
【図５】２次元表示のみ可能なモニタの表示を示す図
【図６】３次元表示可能なモニタの表示を示す図
【図７】撮影画像表示装置の処理を示すフローチャート
【発明を実施するための形態】
【００１３】
本発明の実施形態について図面を参照して説明する。図１は、本発明の実施形態にかかる撮影画像表示装置４を用いた乳房の放射線撮影システム１の概略構成図である。放射線撮影システム１は、乳房Ｍの放射線画像Ｇを撮影する複数の放射線撮影装置２、画像サーバ３および乳房Ｍの放射線画像Ｇを表示する複数の撮影画像表示装置４から構成されている。また、各放射線撮影装置２、画像サーバ３および各撮影画像表示装置４はネットワーク５を介して互いに接続されている。
【００１４】
放射線撮影システム１において、各放射線撮影装置２が乳房Ｍを放射線撮影し、撮影された放射線画像Ｇの撮影画像データＧＤを画像ファイルＧＦに格納して画像サーバ３に送信する。画像サーバ３は画像ファイルＧＦを保存し、撮影画像表示装置４からの配信要求に応じてネットワーク５経由で画像ファイルＧＦを配信要求した撮影画像表示装置４に送信する。撮影画像表示装置４が受信した画像ファイルＧＦから撮影画像データＧＤを読み出して乳房Ｍの放射線画像Ｇを表示する。
【００１５】
最初に放射線撮影装置２について説明する。放射線撮影装置２は乳房Ｍを２次元撮影または３次元撮影することで放射線画像Ｇを取得し、この放射線画像Ｇの撮影画像データＧＤを格納して画像ファイルＧＦを画像サーバ３に送信するものである。
【００１６】
図２は放射線撮影装置２の概略構成図、図３は放射線撮影装置２の一部正面図を示す。放射線撮影装置２は、図１に示すように、基台２１と、基台２１に対して上下方向（Ｚ方向）に移動可能であり、且つ回転可能な回転軸２２、回転軸２２により基台２１と連結されたアーム部２３を備えている。
【００１７】
アーム部２３はＣの形をしており、その一端には撮影台２４が、その他端には撮影台２４と対向するように放射線照射部２６が取り付けられている。アーム部２３の回転および上下方向の移動は、基台２１に組み込まれたアームコントローラ３１により制御される。
【００１８】
撮影台２４の内部には、フラットパネルディテクタ等の放射線検出器２５、放射線検出器２５から電荷信号の読み出しを制御する検出器コントローラ３３が備えられている。また、撮影台２４の内部には、放射線検出器２５から読み出された電荷信号を電圧信号に変換するチャージアンプ、チャージアンプから出力された電圧信号をサンプリングする相関二重サンプリング回路、電圧信号をデジタル信号に変換するＡ／Ｄ変換部等が設けられた回路基板等が備えられている。
【００１９】
アーム部２３は、図２に示すように、回転軸２２回りに回転自在に基台２１に支持されている。２次元撮影においては、アーム部２３が回転した場合、撮影台２４も同様に回転するが、３次元撮影においては、アーム部２３が回転した場合であっても、撮影台２４の向きを基台２１に対して固定できる。
【００２０】
放射線検出器２５は、電荷信号の記録と読み出しを繰り返して行うことができるものであり、放射線の照射を直接受けて電荷を発生する、いわゆる直接型の放射線検出器を用いてもよいし、放射線を一旦可視光に反感し、その可視光を電気信号に変換する、いわゆる間接型の放射線検出器を用いるようにしてもよい。
【００２１】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００２２】
放射線照射部２６の内部には放射線源２７と、放射線源コントローラ３２が格納されている。放射線源コントローラ３２は、放射線源２７から放射線を照射するタイミングと、放射線源２７における放射線発生条件（管電流（ｍＡ）、照射時間（ｍｓ）、管電圧（ｋＶ）等）を制御するものである。
【００２３】
また、アーム部２３の中央部には、撮影台２４の情報に配置されて乳房Ｍを押さえつけて圧迫する圧迫板２８と、その圧迫板２８を支持する支持部３０と、支持部３０を上下方向（Ｚ方向）に移動させる移動機構２９とが設けられている。圧迫板２８の位置、圧迫厚は、圧迫板コントローラ３４により制御される。
【００２４】
制御部３５は、中央処理装置（ＣＰＵ）、半導体メモリやハードディスクやＳＳＤ等のストレージデバイス、入力部３６を備えている。制御部３５は、各種のコントローラ３１〜３４に対して所定の制御信号を出力し、放射線撮影装置２の全体の制御を行うものである。
【００２５】
入力部３６は、たとえば、キーボードやマウス等のポインティングデバイスから構成されるものである。入力部３６は、患者情報、２次元撮影であるか３次元撮影であるかの撮影方法、ＣＣ（頭尾方向）やＭＬＯ（内外斜位方向）等の撮影種類、３次元撮影における、図３に示すような、放射線源２７と検出面２５ａの中心とを結ぶ方向と検出面２５ａに垂直な方向とのなす角度である撮影角度θ等の入力を受け付けるものである。なお、本実施形態において、撮影角度θは、図３に示すように時計回りを正方向、反時計回りを負方向とする。
【００２６】
制御部３５は、２次元撮影または３次元撮影によって放射線検出器２５で検出された電荷信号に所定の信号処理を施した放射線画像信号に基づく放射線画像Ｇの撮影画像データＧＤを記憶し、画像ファイルＧＦに撮影画像データＧＤと、撮影画像データＧＤに付帯させて、当該撮影画像データＧＤが２次元撮影されて得られたものか、３次元撮影されて得られたものかのデータ属性ＤＰを示す付帯データＦＤを画像ファイルＧＦに格納して画像サーバ３に送信する。
【００２７】
データ属性ＤＰは、２次元撮影あるいは３次元撮影の撮影種別のみに限定されるものではなく、患者情報や撮影条件や画像情報を含むものであってもよい。ここで、撮影条件とは、放射線発生条件、放射線量すなわち管電流積（ｍＡｓ）、撮影角度θおよび３次元撮影された撮影画像データＧＤを構成する各撮影画像データにおける撮影の先後情報であり、画像情報とは、制御部３５が撮影画像データＧＤに基づいて算出した放射線画像Ｇの解像度やコントラストに関する情報である。この解像度やコントラストに関する情報とは、算出した解像度やコントラストの値であってもよいし、３次元撮影された放射線画像Ｇに対しては、各放射線画像間で高低を比較した情報であってもよい。
【００２８】
放射線撮影装置２の作用について説明する。２次元撮影および３次元撮影に際し、乳房Ｍを撮影台２４の上に設置し、圧迫板２８によって乳房Ｍを所定の圧力で圧迫する。入力部３６が撮影開始の入力を受けると、２次元撮影または３次元撮影が開始する。制御部３５は入力された撮影方法および撮影種類を読み出し、撮影方法および撮影種類の情報をアームコントローラ３１に出力する。なお、本実施形態においては、２次元撮影および３次元撮影において、撮影種類としてＣＣ（頭尾方向）が入力されたものとするが、特に限定されるものではない。
【００２９】
最初に、放射線撮影装置２による２次元撮影について説明する。制御部３５がＣＣ（頭尾方向）での２次元撮影の情報を受け付け、アームコントローラ３１が、アーム部２３にアーム部２３が略垂直となるような制御信号を出力する。
【００３０】
そして、アーム部２３が略垂直となった状態において、制御部３５は、放射線源コントローラ３２および検出器コントローラ３３に対して放射線の照射と２次元撮影で得られた撮影画像データＧＤの読み出しを行う制御信号を出力する。
【００３１】
この制御信号に応じて、放射線源２７から放射線が照射され、放射線検出器２５が照射された放射線を検出し、検出器コントローラ３３によって放射線検出器２５から電荷信号が読み出される。この電荷信号に所定の信号処理を施した放射線画像信号に基づき、制御部３５は、乳房Ｍの撮影画像データＧＤを記憶し、撮影画像データＧＤと、この撮影画像データＧＤが２次元撮影により得られたというデータ属性ＤＰを撮影画像データＧＤに付帯させて画像ファイルＧＦに格納して画像サーバ３に送信する。
【００３２】
次に放射線撮影装置２による３次元撮影について説明する。制御部３５がＣＣ（頭尾方向）での３次元撮影の情報を受け付け、互いに異なる２つの撮影角度θの組み合わせを読み出し、一方の撮影角度θの情報をアームコントローラ３１に出力する。なお、本実施形態において、撮影角度θとしてθ＝±２°が入力されたものとするが、θ＝０°とθ＝＋４°、またはθ＝０°とθ＝―４°であっても良く、特に限定されるものではない。
【００３３】
制御部３５が撮影角度θ＝±２°の情報を受け付け、アームコントローラ３１が、撮影角度θが＋２°となるようにアーム部２３が傾く制御信号を出力する。アーム部２３が傾き撮影角度θが＋２°となると、制御部３５は、放射線源コントローラ３２および検出器コントローラ３３に対して放射線の照射と右目用の撮影画像データＧＤの読み出しを行う制御信号を出力する。
【００３４】
この制御信号に応じて、放射線源２７から放射線が照射され、放射線検出器２５が照射された放射線を検出し、検出器コントローラ３３によって放射線検出器２５から電荷信号が読み出される。この電荷信号に所定の信号処理を施した放射線画像信号に基づき、制御部３５は、乳房Ｍの右目用の撮影画像データＧＤを記憶する。
【００３５】
次にアームコントローラ３１が、撮影角度が−２°となるようにアーム部２３が傾く制御信号を出力する。アーム部２３が傾き撮影角度θが−２°になると、制御部３５は、放射線源コントローラ３２および検出器コントローラ３３に対して放射線の照射と左目用の撮影画像データＧＤの読み出しを行う制御信号を出力する。
【００３６】
この制御信号に応じて、放射線源２７から放射線が照射され、放射線検出器２５が照射された放射線を検出し、検出器コントローラ３３によって放射線検出器２５から電荷信号が読み出される。この電荷信号に所定の信号処理を施した放射線画像信号に基づき、制御部３５は、乳房Ｍの左目用の撮影画像データＧＤを記憶する。
【００３７】
制御部３５は、乳房Ｍの右目用および左目用の撮影画像データＧＤと、この各撮影画像データＧＤが３次元撮影により得られたというデータ属性ＤＰを撮影画像データＧＤに付帯させて画像ファイルＧＦに格納して画像サーバ３に送信する。
【００３８】
再び図１を参照して画像サーバ３について説明する。画像サーバ３は、ハードディスク等からなる記録媒体３Ａおよびサーバ側コンピュータ３Ｂを備える。記録媒体３Ａは放射線撮影装置２から送信された画像ファイルＧＦを保存するものであり、サーバ側コンピュータ３Ｂは撮影画像表示装置４からネットワーク５経由で配信要求があった場合、ネットワーク５経由で画像ファイルＧＦを撮影画像表示装置４に送信するものである。
【００３９】
撮影画像表示装置４について説明する。図４は撮影画像表示装置４の概略構成図である。
撮影画像表示装置４は、クライアント側コンピュータ４０と、放射線画像Ｇおよび撮影画像データＧＤのデータ属性ＤＰを表示するモニタ４１とを備える。クライアント側コンピュータ４０には、本実施形態による撮影画像表示装置として機能させるためのプログラムがインストールされている。
【００４０】
クライアント側コンピュータ４０は、中央処理装置（ＣＰＵ）および半導体メモリやハードディスクやＳＳＤ等のストレージデバイス等を備えており、これらのハードウェアによって、制御部４２、データ読出部４３、画像処理部４４および表示制御部４５を構成している。また、クライアント側コンピュータ４０は入力部４０Ａを備えている。
【００４１】
入力部４０Ａは、キーボード等から構成されるものであり、モニタ４１の表示画面の数、各表示画面における放射線画像Ｇの画像数、表示位置および表示方向、後述するデータ属性ＤＰの表示位置や表示方法、放射線画像Ｇを２次元表示するのか、３次元表示をするのかの設定を入力するものである。
【００４２】
制御部４２は、ネットワーク５経由で画像サーバ３と通信するとともに、クライアント側コンピュータ４０の全体の制御を行うものである。データ読出部４３は、ネットワーク５経由で配信された画像ファイルＧＦから撮影画像データＧＤおよび撮影画像データＧＤに付帯された付帯データＦＤを読み出すものである。
【００４３】
画像処理部４４は、入力部４０Ａで設定された表示位置や表示方向に、放射線画像Ｇがモニタ４１に表示できるように画像処理を施すものである。表示制御部４５は、撮影画像データＧＤに基づいて、放射線画像Ｇを２次元表示または３次元表示するようにモニタ４１を制御するものである。また、表示制御部４５は、付帯データＦＤに基づいて、データ属性ＤＰを表示するようにモニタ４１を制御するものでもある。
【００４４】
前述のとおり、放射線撮影システム１には、複数の撮影画像表示装置４がネットワーク５を介して接続されており、各撮影画像表示装置４には、２次元表示のみ可能なモニタまたは３次元表示可能なモニタが存在する。
【００４５】
最初に２次元表示のみ可能なモニタ４１について説明する。図５は２次元表示のみ可能なモニタ４１の表示を示す図である。図５に示すように、モニタ４１は１つの表示画面４６を備えている。図５の上図は２次元撮影された放射線画像Ｇの２次元表示、図５の下図は３次元撮影された放射線画像Ｇの２次元表示を図示している。
【００４６】
本実施形態では、入力部４０Ａにおいて、図５に示すように、表示画面の数が１であり、表示画面４６中に放射線画像Ｇを１画像ずつ略中央の位置で胸壁ＭＷが略水平且つ上方となる向きの２次元表示の設定がされたものとする。また、３次元撮影された放射線画像Ｇを２次元表示する際には、左目用の放射線画像Ｇを上記の内容で２次元表示するように設定されたものとする。
【００４７】
また、本実施形態では、データ属性ＤＰについては、表示画面４６の右上方の位置で文字として表示するように設定されたものとするが、その表示位置は限定されるものではない。また、データ属性ＤＰは、図５に示すように、表示画面４６の放射線画像Ｇの表示領域外に表示されてもよく、放射線画像Ｇの表示領域内に表示されてもよい。また、データ属性ＤＰの表示位置は、入力部４０Ａの操作によって任意に移動できるものであってもよい。具体的に、データ属性ＤＰは、放射線画像Ｇが２次元撮影されたものであれば２Ｄ、３次元撮影されたものであれば３Ｄと表示するが、標記については限定されるものではない。なお、データ属性ＤＰは、文字表示に限定されるものではなく、アイコン等で表示することも可能である。
【００４８】
また、データ属性ＤＰは、より観察者の注意を喚起するため、点滅表示されてもよく、モニタ４１がカラー表示可能なものであれば、データ属性ＤＰに応じて色分け表示されてもよい。さらに、撮影画像表示装置４が、音声出力手段を有するものであれ場合、データ属性ＤＰの表示とともに、音声が出力されてもよく、その音声の内容はデータ属性ＤＰに応じた内容であってもよい。
【００４９】
また、これらの点滅表示や、色分け表示、音声を伴う表示は、２次元表示のみ可能なモニタ４１に、３次元撮影された放射線画像Ｇを表示する場合にのみ行うものであってもよい。
【００５０】
また、入力部４０Ａが表示されている放射線画像Ｇが３次元撮影されたものであることを確認した旨の指示を受け付けると、上記の点滅表示が点灯表示、色分け表示が同一色表示、音声の中止、もしくは、データ属性ＤＰ自体が非表示となるようにしてもよい。この入力部４０Ａの指示の受け付けは、キーボード等の特定キーの押下によって受け付けるものであってもよく、表示画面４６の特定位置、たとえば、データ属性ＤＰの表示部分をマウスでクリックすることで受け付けるものであってもよい。
【００５１】
本実施形態では、データ属性ＤＰのうち、２次元撮影、３次元撮影のいずれで撮影されたかの撮影種別のみを表示するものとしたが、これに限定されるものではなく、表示されている放射線画像Ｇの撮影角度θ、放射線量、解像度またはコントラストに関する情報等をさらに表示させるようにしてもよい。また、３次元撮影の場合は、表示されていない他方の放射線画像のサムネイル画像を表示させてもよいし、表示されていない他方の放射線画像の撮影角度、画像の解像度等さらに表示させてもよい。
【００５２】
このように、図５で示すような表示された放射線画像Ｇに基づいて、観察者が表示中の放射線画像Ｇが２次元撮影されたものか、３次元撮影されたものかを認識することは困難であるが、表示画面４６上のデータ属性ＤＰを確認することで容易に認識できる。
【００５３】
これにより、２次元表示のみが可能なモニタ４１に、２次元撮影または３次元撮影された放射線画像Ｇを混在して表示させる際、３次元撮影された放射線画像Ｇが２次元表示されても、いずれの撮影方向で撮影されたものであるかを意識せずに観察してしまう虞を回避できる。
【００５４】
次に３次元表示可能なモニタ４１について説明する。図６は３次元表示可能なモニタ４１の表示を示す図である。図６に示すように、上下方向に隣接させた２つの表示画面４７、４８を有する。
【００５５】
本実施形態では、２つの表示画面４７、４８が所定の角度をなすように上方の表示画面４７を傾け、２つの表示画面４７、４８との間に着脱可能なハーフミラー４９を取り付ける。そして、上方の表示画面４７と下方の表示画面４８のそれぞれの表示光を互いに直交する偏光にし、上方の表示画面４７の表示光はハーフミラー４９で反射、下方の表示画面４８の表示光はハーフミラー４９を透過させることにより、光学的に結合させる。
【００５６】
本実施形態では、３次元撮影された放射線画像Ｇを表示する場合は、上方の表示画面４７に右目用の放射線画像Ｇ、下方の表示画面４８に左目用の放射線画像Ｇを表示するものとする。観察者は、上方の表示画面４７の表示光のみが入射する偏光レンズを右側に備え、下方の表示画面４８の表示光のみが入射するレンズを左側に備えた不図示の偏光メガネを装着することにより、左目用および左目用の放射線画像Ｇを左右の目でそれぞれ観察することで乳房Ｍを立体視できる。
【００５７】
一方、２次元撮影された放射線画像Ｇを表示する場合は、上方の表示画面４７と下方の表示画面４８の両方に同一の放射線画像Ｇを表示する。観察者は、前述の偏光メガネを装着することにより、上方の表示画面４７に表示される放射線画像Ｇを右目用の放射線画像Ｇ、下方の表示画面４８に表示される放射線画像Ｇを左目用の放射線画像Ｇとして平面視で観察する。
【００５８】
このように上下２つの表示画面４７、４８に同一の画像を表示することで、偏光メガネを装着したままでも観察者の両目に放射線画像Ｇの表示光が入射するので、観察者は３次元画像を立体視で観察する装置を用いても違和感なく２次元撮影された放射線画像Ｇを平面視で観察することができる。
【００５９】
本実施形態では、入力部４０Ａにおいて、図６に示すように、表示画面の数が２であり、２つの表示画面４７、４８中に放射線画像Ｇを１画像ずつ略中央の位置で胸壁ＭＷが水平且つ胸壁ＭＷ合わせとなる設定がなされたものとする。また、データ属性ＤＰについては、２つの表示画面４７、４８の右下方および右上方の位置で文字としてそれぞれ表示するように設定されたものとするが、２次元表示のみ可能なモニタ４１における表示と同様に、その表示位置や標記は限定されるものではない。
【００６０】
また、３次元表示可能なモニタ４１における表示においても、データ属性ＤＰは、より観察者の注意を喚起するために、２次元表示のみ可能なモニタ４１における表示と同様に、点滅表示、色分け表示および音声を伴う表示されてもよい。また、これらの点滅表示や、色分け表示、音声を伴う表示は、３次元表示可能なモニタ４１において２次元撮影された放射線画像Ｇを表示する場合にのみ行うものであってもよい。また、表示されている放射線画像Ｇが２次元撮影されたものであることを確認した旨の指示を受け付けると、上記の点滅表示が点灯表示、色分け表示が同一色表示、音声の中止、もしくは、データ属性ＤＰ自体が非表示となるようにしてもよい。
【００６１】
このように、図６で示すような放射線画像Ｇに基づいて、観察者が表示中の放射線画像Ｇが平面視できれば良いものなのか、立体視されるべきであるのに立体視できていないものなのかを認識することは困難であるが、２つの表示画面４７、４８上のデータ属性ＤＰを確認することで容易に認識できる。
【００６２】
これにより、３次元表示可能なモニタ４１に、２次元撮影または３次元撮影された放射線画像Ｇを混在させて表示させる際、３次元撮影された放射線画像Ｇが立体視可能であることを気付かずに観察してしまうことを回避できる。
【００６３】
撮影画像表示装置４の作用について説明する。制御部４２がネットワーク５経由で画像サーバ３に画像ファイルＧＦの配信要求をする（ＳＴ１）。制御部４２がネットワーク５経由で画像ファイルＧＦを受信し、データ読出部４３が、画像ファイルＧＦに格納された、撮影画像データＧＤと撮影画像データＧＤに付帯された付帯データＦＤを読み出す（ＳＴ２）。
【００６４】
制御部４２が、モニタ４１が３次元表示可能なものであるかを確認する（ＳＴ３）。モニタ４１が３次元表示可能なモニタの場合、画像処理部４４が、放射線画像Ｇの胸壁ＭＷが水平かつ胸壁合わせとなるように画像処理を施す（ＳＴ４）。モニタ４１が２次元表示のみ可能な場合、画像処理部４４が、放射線画像Ｇの胸壁ＭＷが上方となるように画像処理を施す（ＳＴ５）。表示制御部４５が、画像処理が施された放射線画像Ｇおよび付帯データＦＤに基づくデータ属性ＤＰを入力部４０Ａで設定された条件で表示し（ＳＴ６）、処理を終了する。
【００６５】
以上の述べたとおり、本発明の実施形態である撮影画像表示装置４によれば、データ読出部４３が画像ファイルＧＦから、撮影画像データＧＤおよび付帯データＦＤをそれぞれ読み出し、表示制御部４５が撮影画像データＧＤを用いて乳房Ｍの放射線画像Ｇおよび付帯データＦＤを用いてデータ属性ＤＰをモニタ４１にそれぞれ表示するため、観察者は表示されて放射線画像Ｇが２次元撮影されたものであるか、３次元撮影されたものであるかを容易に認識できる。これにより、観察者は、３次元撮影された放射線画像Ｇは立体視可能であること、２次元撮影された放射線画像Ｇは平面視で観察することに容易に気付くことができる。
【００６６】
また、本発明の実施形態である撮影画像表示装置４によれば、データ属性ＤＰを文字として表示することにより、観察者がより容易に表示された放射線画像Ｇが２次元撮影されたものか、３次元撮影されたものかを認識できる。
【００６７】
なお、本実施形態において、本発明の実施形態にかかる撮影画像表示装置４を乳房Ｍの放射線画像Ｇを表示するものとして説明したが、これに限定されるものではなく、肺や胃等の部位を表示するものであってもよい。さらに、放射線画像Ｇに限定されるものでもなく、通常のデジタルカメラ等で撮影された被写体を表示するものであってもよい。
【符号の説明】
【００６８】
ＤＰ  データ属性
ＦＤ  付帯データ
ＧＤ  画像データ
ＧＦ  画像ファイル
Ｍ    乳房（被写体）
４    撮影画像表示装置
４１  モニタ
４３  データ読出部
【図１】
2012148055.tif 000003
【図２】
2012148055.tif 000004
【図３】
2012148055.tif 000005
【図４】
2012148055.tif 000006
【図５】
2012148055.tif 000007
【図６】
2012148055.tif 000008
【図７】
2012148055.tif 000009